(57)【要約】【課題】ローラレベラにおいて、効果的にスケールを除去することができる。【解決手段】ローラレベラ１矯正過程で被矯正材４表面から剥離したスケールを、矯正方向前後の矯正ロール間においてロール胴長方向一方側から他方側への流体流れを発生させて除去するローラレベラ１におけるスケール除去方法において、前後の矯正ロール間においてロール胴長方向に沿いにながら、ロール胴長方向に対して指向し、かつ、前後の矯正ロール間の中央部からロール噛み込み側にシフトして配置されたノズル５から流体を噴出させることによりロール胴長方向への流体流れを生成する。【選択図】      図１
2004230398.tif 000002
【特許請求の範囲】
【請求項１】
ローラレベラ矯正過程で被矯正材表面から剥離したスケールを、矯正方向前後の矯正ロール間においてロール胴長方向一方側から他方側への流体流れを発生させて除去するローラレベラにおけるスケール除去方法において、前記前後の矯正ロール間においてロール胴長方向に沿いながら、ロール胴長方向に対して指向し、かつ、該前後の矯正ロール間の中央部からロール噛み込み側にシフトして配置されたノズルから流体を噴出させることにより、前記ロール胴長方向への流体流れを生成することを特徴とするローラレベラにおけるスケール除去方法。
【請求項２】
ローラレベラ矯正過程で被矯正材表面から剥離したスケールを、矯正方向前後の矯正ロール間においてロール胴長方向一方側から他方側への流体流れを発生させて除去するローラレベラにおけるスケール除去装置において、前記ロール胴長方向への流体流れを発生させるノズルが、前記前後の矯正ロール間においてロール胴長方向に沿いながら、ロール胴長方向に対して指向し、かつ、該前後の矯正ロール間の中央部からロール噛み込み側にシフトして配置されていることを特徴とするローラレベラにおけるスケール除去装置。
【請求項３】
ローラレベラ矯正過程で被矯正材表面から剥離したスケールを、矯正方向前後の矯正ロール間においてロール胴長方向一方側から他方側への流体流れを発生させて除去するローラレベラにおけるスケール除去装置において、前記ロール胴長方向への流体流れを発生させるノズルが、前記前後の矯正ロール間においてロール胴長方向に沿いながら、ロール胴長方向に対して指向し、かつ、前記前後の矯正ロール間の中央部からロール噛み込み側にシフトしているシフト長が、該前後の矯正ロール間の距離（Ｐ）の１／８〜３／８であることを特徴とする請求項２に記載のローラレベラにおけるスケール除去装置。
【請求項４】
ローラレベラ矯正過程で被矯正材表面から剥離したスケールを、矯正方向前後の矯正ロール間においてロール胴長方向一方側から他方側への流体流れを発生させて除去するローラレベラにおけるスケール除去装置において、前記ロール胴長方向への流体流れを発生させるノズルが、前記前後の矯正ロール間においてロール胴長方向に沿いながら、ロール胴長方向他方側に対して指向し、かつ、該前後の矯正ロール間の中央部からロール噛み込み側にシフトして配置されている状態で、ロール胴長方向一方側の端部にロール胴長方向他方側を向く第二ノズルが配置されていることを特徴とする請求項２又は請求項３のいずれかに記載のローラレベラにおけるスケール除去装置。
【請求項５】
ローラレベラ矯正過程で被矯正材表面から剥離したスケールを、矯正方向前後の矯正ロール間においてロール胴長方向への流体流れを発生させて除去するローラレベラにおけるスケール除去装置において、前記ロール胴長方向への流体流れを発生させるノズルが、前記前後の矯正ロール間においてロール胴長方向に沿いながら、矯正ロール胴長の中途部からロール胴長方向一方側のノズルは該中途部から該一方側に指向し、矯正ロール胴長の中途部からロール胴長方向他方側のノズルは該中途部から該他方側に指向し、かつ、該前後の矯正ロール間の中央部からロール噛み込み側にシフトして配置されていることを特徴とするローラレベラにおけるスケール除去装置。
【発明の詳細な説明】
【０００１】
【発明の属する技術分野】
本発明は、ローラレベラ矯正過程で被矯正材表面から剥離したスケールを流体パージによりロール胴長方向への流体流れを発生させて除去するローラレベラにおけるスケール除去方法及びその装置に関するものである。
【０００２】
【従来の技術】
黒皮の被矯正材をローラレベラで矯正するとき、矯正過程で剥離したスケールが、矯正方向（被矯正材の進行方向）下流側のロールで被矯正材に押し込まれ、被矯正材の表面に疵が発生すると言う問題があった。このような疵の発生を防止するために、各種のローラレベラのスケール除去技術が提案されている。例えば、特許文献１には、吹き込みノズルを介して空気を加圧して吹き込んで浮遊するスケールを搬送し、もう一方の側面に設けた吸引フードにより吸引を行うものである。また、特許文献２に記載のものは、矯正ロール間においてロール胴長方向に沿って配列されかつ先端をロール胴長方向他方側に向けた状態で被矯正材表面に向かって傾斜する複数の第一流体ノズルとロール胴長方向一方側の端部に配置されたロール胴長方向他方側を向く第二流体ノズルによるものである。
【０００３】
【特許文献１】
特開平５−５７３５１号公報（第４頁、第３図）
【特許文献２】
特開平１１−７７１５９号公報（第９頁、第１図）
【０００４】
【発明が解決しようとする課題】
前記特許文献１では、矯正ロール等で形成された空間部の中での浮遊スケールを除去しようとするもので、空間部全域での幅広い気流を発生することになリ、ローラレベラの設備劣化の防止には有効（前記公報第４頁、右欄３行目）であっても、スケールを確実に除去する目的に合致していない。
前記特許文献２では、ロール胴長方向一方側から、ロール胴長方向他方側に向かって除去されるスケールは、ロール胴長方向一杯に移動するものであって、適正な流体流れ分布が存在する必要がある。
【０００５】
そこで、本発明は、スケールの滞留が生じないようにして、前記問題点を改善・解決したローラレベラにおけるスケール除去方法及びその装置を提供することを目的とする。
【０００６】
【課題を解決するための手段】
この技術的課題を解決するため、本発明は次の手段を講じた。即ち、本発明方法の特徴とするところは、ローラレベラ矯正過程で被矯正材表面から剥離したスケールを、矯正方向前後の矯正ロール間においてロール胴長方向一方側から他方側への流体流れを発生させて除去するローラレベラにおけるスケール除去方法において、前後の矯正ロール間においてロール胴長方向に沿いながら、ロール胴長方向に対して指向し、かつ、前後の矯正ロール間の中央部からロール噛み込み側にシフトして配置されたノズルから流体を噴出させることにより、ロール胴長方向への流体流れを生成する点にある。
【０００７】
また、本発明装置の特徴とするところは、ローラレベラ矯正過程で被矯正材表面から剥離したスケールを、矯正方向前後の矯正ロール間においてロール胴長方向一方側から他方側への流体流れを発生させて除去するローラレベラにおけるスケール除去装置において、ロール胴長方向への流体流れを発生させるノズルが、前記前後の矯正ロール間においてロール胴長方向に沿いながら、ロール胴長方向に対して指向し、かつ、前後の矯正ロール間の中央部からロール噛み込み側にシフトして配置されている点にある。
その場合、ローラレベラ矯正過程で被矯正材表面から剥離したスケールを、矯正方向前後の矯正ロール間においてロール胴長方向一方側から他方側への流体流れを発生させて除去するローラレベラにおけるスケール除去装置において、ロール胴長方向への流体流れを発生させるノズルが、前後の矯正ロール間においてロール胴長方向に沿いながら、ロール胴長方向に対して指向し、かつ、前後の矯正ロール間の中央部からロール噛み込み側にシフトしているシフト長が、前後の矯正ロール間の距離（Ｐ）の１／８〜３／８であることも好ましい。なお、これらの場合ロール胴長方向一方側の端部にロール胴長方向他方側を向く第二ノズルが配置されているのも好ましい。
【０００８】
さらに、ローラレベラ矯正過程で被矯正材表面から剥離したスケールを、矯正方向前後の矯正ロール間においてロール胴長方向への流体流れを発生させて除去するローラレベラにおけるスケール除去装置において、ロール胴長方向への流体流れを発生させるノズルが、前記前後の矯正ロール間においてロール胴長方向に沿いながら、矯正ロール胴長の中途部からロール胴長方向一方側のノズルは中途部から一方側に指向し、矯正ロール胴長の中途部からロール胴長方向他方側のノズルは中途部から他方側に指向し、かつ、前後の矯正ロール間の中央部からロール噛み込み側にシフトして配置されているのも本発明装置の特徴とするところである。
【０００９】
【発明の実施の形態】
以下、本発明の実施の形態を図面に基づいて説明する。
図１（ａ）に示すものは、本発明のスケール除去装置の矯正機の模式図である。ローラレベラ１は、上下の矯正ロール２，３を千鳥状に配置し、上下の矯正ロール２，３間に板材である被矯正材４を通板して、該被矯正材４のレベル出しを行うものである。スケール除去装置は、このローラレベラ１に設けられている。スケール除去装置は、このローラレベラ１による矯正過程で、被矯正材４の表面から剥離したスケールを、流体パージによりロール胴長方向への流体流れを発生させて除去するものである。
【００１０】
すなわち、スケール除去装置は、被矯正材４の上面側に設けられており、そして、被矯正材４の矯正方向前後に配置された矯正ロール２であって前の矯正ロール２ａの側（ロール排出側）と、後の矯正ロール２ｂの側（ロール噛み込み側）との間、すなわち前後の矯正ロール間でロール噛み込み側にシフトして配置された、複数個のノズル５を有する。それらのノズル５は、図１（ｂ）に示すように、前後の矯正ロール間の中央部からロール噛み込み側であって、前の矯正ロール２ａの側（ロール排出側）からの距離（Ｑ）にシフトして配置されている。なお、前後の矯正ロール間の中央部からロール噛み込み側にシフトしているシフト長は、前後の矯正ロール間の中央部からロール噛み込み側までの距離である。そして、ノズル５は、被矯正材４の上面に向かってノズル吹き出し速度ｖ１にてロール胴長方向に沿いながら、ロール胴長方向に対し指向角θ（ノズル角度）（図２（ａ））で指向して流体を噴出させる。その噴出口の位置は、ロール胴長方向に所定のノズルピッチｐとなるよう、また、被矯正材４の表面から高さｈの位置になるよう配置される。
【００１１】
実機冷間レベラでの矯正実験により、図１（ｂ）並びに図２（ａ）に示すような第１実施形態において、前後の矯正ロール間の距離（Ｐ）と、ロール排出側からの距離（Ｑ）とのシフトの関係を検証した。すなわち、ロール排出側からの距離（Ｑ）と前後の矯正ロール間の距離（Ｐ）との比（Ｑ／Ｐ）と、矯正後の被矯正材４表面のスケール押し込み疵発生率％との矯正実験結果を図３に示す。
「矯正実験条件」
被矯正材：４００Ｎ級鋼板  、４９０Ｎ級鋼板、板厚６〜２８ｍｍ
矯正機  ：上の矯正ロール五本、下の矯正ロール六本
矯正ロール：径２３５ｍｍ、胴長さ４６００ｍｍ
ノズル径  ：  ８ｍｍ（エアノズル）
ノズル角度θ：６０°
ノズルピッチｐ：３３０ｍｍ
ノズル高さｈ  ：９０ｍｍ
ノズル吹き出し速度：６０ｍ／ｓ（ｖ１）
図３に示すように、ロール排出側からの距離（Ｑ）と前後の矯正ロール間の距離（Ｐ）との比（Ｑ／Ｐ）が０．５以上であって、その比（Ｑ／Ｐ）が５／８〜７／８でのスケール押し込み疵発生率％が、良好な結果である。すなわち、図３のように、上記比（Ｑ／Ｐ）が５／８以上でのロール噛み込み側へのシフトが良い結果となる。なお、上記比（Ｑ／Ｐ）が５／８〜７／８は、前後の矯正ロール間の中央部からロール噛み込み側にシフトしているシフト長が前後の矯正ロール間の距離（Ｐ）の１／８〜３／８に相当する。
【００１２】
次に、図２（ｂ）は、ローラレベラにおけるスケール除去装置の第２実施形態を示しており、前記第１実施形態とは、ロール胴長方向一方側の端部にロール胴長方向他方側を向く第二ノズル６が配置されている点が異なっている。第二ノズル６の径が２４ｍｍ、ノズル吹き出し速度６０ｍ／ｓ（ｖ２）が、前記第一実施形態に追加する諸元である。ロール噛み込み側にシフトして、そして、前記第二ノズル６を設けている第２実施形態においても、矯正後の被矯正材４表面のスケール押し込み疵発生率％は良好である。
【００１３】
図２（ｃ）は、ローラレベラにおけるスケール除去装置の第３実施形態を示しており、前記第１〜２実施形態とは、矯正ロール胴長の中途部からロール胴長方向一方側のノズル５は、中途部から一方側に指向し、矯正ロール胴長の中途部からロール胴長方向他方側のノズル５は、中途部から他方側に指向してる点が異なっている。この矯正ロール胴長の中途部は、例えば、矯正ロール胴長の丁度真中を指すが、特に真ん中に限定するものではない。また、ロール胴長方向一方側、あるいは他方側へのノズル角度θ（図２（ｃ））は、正反対の方向にどちらも６０°である。このノズル角度θは、６０°に限定するものではなく、被矯正材４のスケール性状等により、可変となるよう構成することができるのは、前記第１〜２実施形態と同様である。ロール噛み込み側にシフトして、矯正ロール胴長の中途部からロール胴長方向へ指向している第３実施形態においても、矯正後の被矯正材４表面のスケール押し込み疵発生率％は良好である。
【００１４】
尚、本発明は、前記実施の形態に限定されるものではなく、例えば、第二ノズル６を設置する場合、矯正方向に複数個設けてもよい。また、ノズル５，６及び噴出流体は、エアに限定されるものではなく、ホットレベラの場合は、冷却水であってもよい。さらに、ノズル５，６の配置は、被矯正材４の上面側に限らず、下面側に配置することもできる。
さらに、ノズルからの流量、ノズルピッチｐ、ノズル高さｈ、ノズル吹き出し速度ｖ１，ｖ２、あるいは、ノズル角度θは、被矯正材４のスケール性状により、可変となるよう構成することができる。
【００１５】
【発明の効果】
本発明によれば、効果的にスケールを除去することができる。
【図面の簡単な説明】
【図１】本発明のスケール除去装置示す模式図で、（ａ）は矯正機の斜視図、（ｂ）は矯正方向に沿った断面図（ロール噛み込み側にシフト）である。
【図２】（ａ）はロール胴長方向に指向した図、（ｂ）は第二ノズルが配置された図、（ｃ）は一方側、並びに他方側に指向した図である。
【図３】シフト結果の図である。
【符号の説明】
１  ローラレベラ
２  上の矯正ロール
３  下の矯正ロール
４  被矯正材
５  （第一）ノズル
６  第二ノズル
【図１】
2004230398.tif 000003
【図２】
2004230398.tif 000004
【図３】
2004230398.tif 000005